【手続補正書】
【提出日】平成19年1月4日(2007.1.4)
【手続補正１】
【補正対象書類名】特許請求の範囲
【補正対象項目名】全文
【補正方法】変更
【補正の内容】
【特許請求の範囲】
【請求項１】
クライアント装置とサーバ装置とを備え、
前記クライアント装置は、
そのユーザを認証するための認証データを前記サーバ装置に送信する認証データ送信手段と、
前記ユーザが購入した又は所有している商品を特定するための商品ＩＤを前記サーバ装置に送信する商品ＩＤ送信手段と、
前記商品が真正商品であることを証明するための証明データであって、前記商品または  前記商品の包装に付される標章の画像データ、或いは前記商品の画像、色調または模様の画像データを含むデータを前記サーバ装置から受信する証明データ受信手段と、
前記証明データ受信手段により受信した前記証明データの内容を表示する表示手段とを備え、
前記サーバ装置は、
前記認証データを前記クライアント装置から受信する認証データ受信手段と、
前記商品ＩＤを前記クライアント装置から受信する商品ＩＤ受信手段と、
前記認証データ受信手段により受信した前記認証用データに基づいてユーザを認証し、前記商品ＩＤ受信手段により受信した前記商品ＩＤに応じた前記証明データを作成する証明データ作成手段と、
前記証明データ作成手段により作成した前記証明データを前記クライアント装置に送信する証明データ送信手段とを備えていることを特徴とする模倣品流通防止システム。
【請求項２】
クライアント装置とサーバ装置とを備え、
前記クライアント装置は、
そのユーザが購入した又は所有している商品が真正商品であることを証明するための証明データであって、前記商品または前記商品の包装に付される標章の画像データ、或いは前記商品の画像、色調または模様の画像データを含むデータを前記サーバ装置から受信する証明データ受信手段と、
前記証明データに付属する付属データを前記サーバ装置から受信する付属データ受信手段と、
前記ユーザを認証するための認証データを入力するための認証データ入力手段と、
前記付属データ受信手段により受信した前記付属データと前記認証データ入力手段により入力された前記認証データとに基づいて前記ユーザを認証し、前記証明データを表示可能とする表示許可手段と、
前記表示許可手段により表示可能とされた前記証明データの内容を表示する表示手段とを備え、
前記サーバ装置は、
ユーザごとに異なる前記付属データを作成する付属データ作成手段と、
商品に応じた前記証明データを作成する証明データ作成手段と、
前記付属データ作成手段により作成した前記付属データおよび前記証明データ作成手段により作成した前記証明データを前記クライアント装置に送信する送信手段とを備えていることを特徴とする模倣品流通防止システム。
【請求項３】
クライアント装置とサーバ装置とを備え、
前記クライアント装置は、
そのユーザが購入した又は所有している商品、或いは購入検討中の商品が真正商品であることを証明するための証明データであって、前記商品または前記商品の包装に付される標章の画像データ、或いは前記商品の画像、色調または模様の画像データを含むデータを前記サーバ装置から受信する証明データ受信手段と、
前記証明データに付属する付属データを前記サーバ装置から受信する付属データ受信手段と、
前記ユーザを認証するための認証データを記憶保持している認証データ記憶手段と、
前記サーバ装置から受信した前記付属データと前記認証データ記憶手段に記憶されている前記認証データとに基づいて前記ユーザを認証し、前記証明データを表示可能とする表示許可手段と、
前記表示許可手段により表示可能とされた前記証明データの内容を表示する表示手段とを備え、
前記サーバ装置は、
ユーザごとに異なる前記付属データを作成する付属データ作成手段と、
商品に応じた前記証明データを作成する証明データ作成手段と、
前記付属データ作成手段により作成した前記付属データおよび前記証明データ作成手段により作成した前記証明データを前記クライアント装置に送信する送信手段とを備えていることを特徴とする模倣品流通防止システム。
【請求項４】
クライアント装置とサーバ装置とを備え、
前記クライアント装置は、
そのユーザが購入した又は所有している商品が真正商品であることを証明するための証明データを前記サーバ装置から受信する証明データ受信手段と、
前記証明データに付属する付属データを前記サーバ装置から受信する付属データ受信手段と、
前記ユーザを認証するための認証データを入力するための認証データ入力手段と、
前記付属データ受信手段により受信した前記付属データと前記認証データ入力手段により入力された前記認証データとに基づいて前記ユーザを認証し、前記証明データを前記付属データに含まれる表示許可期間情報に基づいて一定期間表示可能とする表示許可手段と、
前記表示許可手段により表示可能とされた前記証明データの内容を表示する表示手段とを備え、
前記サーバ装置は、
ユーザごとに異なる前記付属データを作成する付属データ作成手段と、
商品に応じた前記証明データを作成する証明データ作成手段と、
前記付属データ作成手段により作成した前記付属データおよび前記証明データ作成手段により作成した前記証明データを前記クライアント装置に送信する送信手段とを備えていることを特徴とする模倣品流通防止システム。
【請求項５】
クライアント装置とサーバ装置とを備え、
前記クライアント装置は、
そのユーザが購入した又は所有している商品、或いは購入検討中の商品が真正商品であることを証明するための証明データを前記サーバ装置から受信する証明データ受信手段と、
前記証明データに付属する付属データを前記サーバ装置から受信する付属データ受信手段と、
前記ユーザを認証するための認証データを記憶保持している認証データ記憶手段と、
前記サーバ装置から受信した前記付属データと前記認証データ記憶手段に記憶されている前記認証データとに基づいて前記ユーザを認証し、前記証明データを前記付属データに含まれる表示許可期間情報に基づいて一定期間表示可能とする表示許可手段と、
前記表示許可手段により表示可能とされた前記証明データの内容を表示する表示手段とを備え、
前記サーバ装置は、
ユーザごとに異なる前記付属データを作成する付属データ作成手段と、
商品に応じた前記証明データを作成する証明データ作成手段と、
前記付属データ作成手段により作成した前記付属データおよび前記証明データ作成手段により作成した前記証明データを前記クライアント装置に送信する送信手段とを備えていることを特徴とする模倣品流通防止システム。
【請求項６】
前記サーバ装置は、
前記認証データ受信手段により受信した前記認証データに基づいてユーザを認証し、前記商品ＩＤ受信手段により受信した前記商品ＩＤに応じた前記証明データのサンプルデータを作成するサンプルデータ作成手段と、
前記サンプルデータ作成手段により作成した前記サンプルデータを前記クライアント装置に送信するサンプルデータ送信手段とを備え、
前記クライアント装置は、
前記サンプルデータを前記サーバ装置から受信するサンプルデータ受信手段と、
前記サンプルデータ受信手段により受信した前記サンプルデータの内容を表示する表示手段とを備え、
前記サンプルデータは、
前記サーバ装置から送信された時点あるいは前記クライアント装置により受信された時点から一定時間経過後に前記クライアント装置から自動的に消滅あるいは消去される期限付きデータであることを特徴とする請求項１記載の模倣品流通防止システム。
【請求項７】
前記クライアント装置は、
前記証明データのサンプルデータと前記付属データとを前記サーバ装置から受信するサンプルデータ受信手段と、
前記サンプルデータ受信手段により受信した前記付属データと前記認証データ入力手段により入力された前記認証データとに基づいて前記ユーザを認証し、前記サンプルデータを表示可能とするサンプルデータ表示許可手段と、
前記サンプルデータ表示許可手段により表示可能とされた前記サンプルデータの内容を表示する表示手段とを備え、
前記サーバ装置は、
前記証明データのサンプルデータを作成するサンプルデータ作成手段と、
前記付属データ作成手段により作成した前記付属データおよび前記サンプルデータ作成手段により作成した前記サンプルデータを前記クライアント装置に送信する送信手段とを備え、
前記サンプルデータは、
前記サーバ装置から送信された時点あるいは前記クライアント装置により受信された時点から一定時間経過後に前記クライアント装置から自動的に消滅あるいは消去される期限付きデータであることを特徴とする請求項２記載の模倣品流通防止システム。
【請求項８】
前記クライアント装置は、
前記証明データのサンプルデータと前記付属データとを前記サーバ装置から受信するサンプルデータ受信手段と、
前記サーバ装置から受信した前記付属データと前記認証データ記憶手段に記憶されている前記認証データとに基づいて前記ユーザを認証し、前記サンプルデータを表示可能とするサンプルデータ表示許可手段と、
前記サンプルデータ表示許可手段により表示可能とされた前記サンプルデータの内容を表示する表示手段とを備え、
前記サーバ装置は、
前記証明データのサンプルデータを作成するサンプルデータ作成手段と、
前記付属データ作成手段により作成した前記付属データおよび前記サンプルデータ作成手段により作成した前記サンプルデータを前記クライアント装置に送信する送信手段とを備え、
前記サンプルデータは、
前記サーバ装置から送信された時点あるいは前記クライアント装置により受信された時点から一定時間経過後に前記クライアント装置から自動的に消滅あるいは消去される期限付きデータであることを特徴とする請求項３記載の模倣品流通防止システム。
【請求項９】
前記証明データは、前記商品または前記商品の包装に付される標章の画像データを含むことを特徴とする請求項４〜８のいずれかに記載の模倣品流通防止システム。
【請求項１０】
前記証明データは、前記商品の画像、色調または模様の画像データを含むことを特徴とする請求項４〜９のいずれかに記載の模倣品流通防止システム。
【請求項１１】
前記クライアント装置は、
前記証明データ受信手段により受信した前記証明データを保存しておくための証明データ記憶手段と、
前記証明データ記憶手段に記憶されている証明データの中から任意の証明データを選択する選択手段と、
前記選択手段により選択された証明データの内容を前記表示手段に表示させる証明データ表示制御手段とを備えていることを特徴とする請求項１〜１０のいずれかに記載の模倣品流通防止システム。
【請求項１２】
前記認証データは、ユーザＩＤとパスワードとを含むことを特徴とする請求項１〜１１のいずれかに記載の模倣品流通防止システム。
【請求項１３】
前記証明データは、前記商品の名称、その商品の型番号、その商品が何番目に製造された物であるかを示す製造番号、その商品を販売した店の名称、およびその商品を販売した店を特定するための販売店ＩＤのうちのいずれかに関するデータを含むことを特徴とする請求項１〜１２のいずれかに記載の模倣品流通防止システム。
【請求項１４】
前記証明データと同一内容の情報を前記商品に付して商品流通を行うことを特徴とする請求項１３記載の模倣品流通防止システム。
【請求項１５】
前記クライアント装置は、データ通信機能を有する携帯電話機であることを特徴とする請求項１〜１４のいずれかに記載の模倣品流通防止システム。
【請求項１６】
前記商品は、バッグ類、衣類、宝飾品、腕時計、および車両のうちのいずれかに属することを特徴とする請求項１〜１５のいずれかに記載の模倣品流通防止システム。
【請求項１７】
クライアント装置とサーバ装置とを用いた模倣品流通防止方法であって、
前記クライアント装置は、
そのユーザを認証するための認証データを前記サーバ装置に送信する認証データ送信ステップと、
前記ユーザが購入した又は所有している商品を特定するための商品ＩＤを前記サーバ装置に送信する商品ＩＤ送信ステップと、
前記商品が真正商品であることを証明するための証明データであって、前記商品または前記商品の包装に付される標章の画像データ、或いは前記商品の画像、色調または模様の画像データを含むデータを前記サーバ装置から受信する証明データ受信ステップと、
前記証明データ受信ステップで受信した前記証明データの内容を表示する表示ステップとを実行し、
前記サーバ装置は、
前記認証データを前記クライアント装置から受信する認証データ受信ステップと、
前記商品ＩＤを前記クライアント装置から受信する商品ＩＤ受信ステップと、
前記認証データ受信ステップで受信した前記認証用データに基づいてユーザを認証し、前記商品ＩＤ受信ステップで受信した前記商品ＩＤに応じた前記証明データを作成する証明データ作成ステップと、
前記証明データ作成ステップで作成した前記証明データを前記クライアント装置に送信する証明データ送信ステップとを実行することを特徴とする模倣品流通防止方法。
【請求項１８】
クライアント装置とサーバ装置とを備え、
前記クライアント装置は、
そのユーザを認証するための認証データを前記サーバ装置に送信する認証データ送信手段と、
前記ユーザが購入した又は所有している商品を特定するための商品ＩＤを前記サーバ装置に送信する商品ＩＤ送信手段と、
前記商品に関連する画像データを前記サーバ装置から受信する商品関連画像受信手段と、
前記商品関連画像受信手段により受信した画像データの内容を表示する表示手段とを備え、
前記サーバ装置は、
前記認証データを前記クライアント装置から受信する認証データ受信手段と、
前記商品ＩＤを前記クライアント装置から受信する商品ＩＤ受信手段と、
前記認証データ受信手段により受信した前記認証用データに基づいてユーザを認証し、前記商品ＩＤ受信手段により受信した前記商品ＩＤに応じた前記画像データを作成する商品関連画像作成手段と、
前記商品関連画像作成手段により作成した前記画像データを前記クライアント装置に送信する画像データ送信手段とを備えていることを特徴とする商品関連画像提供システム。
【請求項１９】
クライアント装置とサーバ装置とを用いた商品関連画像提供方法であって、
前記クライアント装置は、
そのユーザを認証するための認証データを前記サーバ装置に送信する認証データ送信ステップと、
前記ユーザが購入した又は所有している商品を特定するための商品ＩＤを前記サーバ装置に送信する商品ＩＤ送信ステップと、
前記商品に関連する画像データを前記サーバ装置から受信する商品関連画像受信ステップと、
前記商品関連画像受信ステップで受信した画像データの内容を表示する表示ステップとを実行し、
前記サーバ装置は、
前記認証データを前記クライアント装置から受信する認証データ受信ステップと、
前記商品ＩＤを前記クライアント装置から受信する商品ＩＤ受信ステップと、
前記認証データ受信ステップで受信した前記認証用データに基づいてユーザを認証し、前記商品ＩＤ受信ステップで受信した前記商品ＩＤに応じた前記画像データを作成する商品関連画像作成ステップと、
前記商品関連画像作成ステップで作成した前記画像データを前記クライアント装置に送信する商品関連画像送信ステップとを実行することを特徴とする商品関連画像提供方法。
【請求項２０】
そのユーザを認証するための認証データをサーバ装置に送信する認証データ送信手段と、
前記ユーザが購入した又は所有している商品を特定するための商品ＩＤを前記サーバ装置に送信する商品ＩＤ送信手段と、
前記商品が真正商品であることを証明するための証明データであって、前記商品または前記商品の包装に付される標章の画像データ、或いは前記商品の画像、色調または模様の画像データを含むデータを前記サーバ装置から受信する証明データ受信手段と、
前記証明データ受信手段により受信した前記証明データの内容を表示する表示手段とを備えたことを特徴とするクライアント装置。
【請求項２１】
商品に取り付けられているデータキャリアから商品ＩＤを読み出す商品ＩＤ読出手段を備え、
前記商品ＩＤ送信手段は、前記商品ＩＤ読出手段により読み出された商品ＩＤを前記サーバ装置に送信することを特徴とする請求項５３記載のクライアント装置。
【請求項２２】
クライアント装置のユーザを認証するための認証データを当該クライアント装置から受信する認証データ受信手段と、
前記ユーザが購入した又は所有している商品を特定するための商品ＩＤを前記クライアント装置から受信する商品ＩＤ受信手段と、
前記認証データ受信手段により受信した前記認証用データに基づいてユーザを認証し、前記商品ＩＤ受信手段により受信した前記商品ＩＤに応じた証明データを作成する証明データ作成手段と、
前記証明データ作成手段により作成した前記証明データを前記クライアント装置に送信する証明データ送信手段とを備え、
前記証明データは、
前記クライアント装置のユーザが購入した又は所有している商品が真正商品であることを証明するためのデータであって、前記商品または前記商品の包装に付される標章の画像データ、或いは前記商品の画像、色調または模様の画像データを含むデータであることを特徴とするサーバ装置。
【請求項２３】
請求項１、２、３、４、５、６、７、８、９、１５、３３、３４、３５、３６、または４１に記載の前記クライアント装置を、コンピュータを用いて実現するためのプログラム。
【請求項２４】
請求項１、２、３、４、５、６、７、８、３３、３４、または３５に記載の前記サーバ装置を、コンピュータを用いて実現するためのプログラム。
【請求項２５】
請求項１７〜３２のいずれかに記載の模倣品流通防止方法を、複数のコンピュータを含む通信システムを用いて実施するためのプログラム。
【請求項２６】
請求項４３〜５２のいずれかに記載の商品関連画像提供方法を、複数のコンピュータを含む通信システムを用いて実施するためのプログラム。
【請求項２７】
請求項５３〜６６のいずれかに記載のクライアント装置を、コンピュータを用いて実現するためのプログラム。
【請求項２８】
請求項６７〜７４のいずれかに記載のサーバ装置を、コンピュータを用いて実現するためのプログラム。
【請求項２９】
請求項７５〜８０のいずれかに記載のプログラムを記録したコンピュータ読み取り可能な記録媒体。